(57)【要約】【課題】ユーザーが物理鍵によるオン／オフ選択でプライバシー保護の有無を容易に実現でき、また、遠隔監視側が提供するサービスの種類を容易に変更でき且つ管理できるようにする。【解決手段】遠隔監視端末に備えたサービス選択手段である鍵部に鍵を差込み、所望のサービス内容の位置に鍵を回して合わせ、その状態によって「ＯＦＦ」、「ユーザーのみへの通知」、「ユーザーと遠隔監視サービスセンターへの通知」、「遠隔監視サービスセンターのみへの通知」を容易に切り替えることができ、且つ、遠隔監視サービス業者のサービスに対する課金もユーザーの鍵位置による状態を知ることで動的に課金を変更することを可能にする。【選択図】図１
2011124988.tif 000002
【特許請求の範囲】
【請求項１】
カメラ及びカメラ素子からの映像信号を受信し、前記映像信号を画像データに変換する画像処理手段と、
センサーからの検出信号を受信し、前記検出信号をセンサーデータに変換するセンサー処理手段と、
前記画像データ及び前記センサーデータを記録する記録手段と、
鍵穴に鍵を差し込んで回し合わせることによって前記鍵穴の回転位置に刻印されたサービスを選択するサービス選択手段と、
外部の通信端末手段から配信要求のトリガ信号が入力されたことを検出する検出手段と、
前記検出手段が前記トリガ信号の入力を検出した場合に、画像データをあらかじめ登録してある前記外部の通信端末手段に対応した複数の電子メールアドレスの中から前記サービス選択手段の鍵穴によって選択されたサービスに対応する通信端末手段のみに、前記画像データ及び前記センターデータの少なくとも一方をネットワーク手段を介して配信する中央制御手段と
を備えたことを特徴とする遠隔監視システム。
【請求項２】
請求項１に記載の遠隔監視システムにおいて、前記サービス選択手段は前記鍵穴をサービスごとに複数有し、所望するサービスの鍵穴に鍵を差し込んで回し合わせることによって配信する相手を選択することを特徴とする遠隔監視システム。
【請求項３】
請求項１又は２に記載の遠隔監視システムにおいて、前記中央制御手段は、前記サービス選択手段の鍵穴によって選択されたサービスに対応する通信端末手段のみに、前記ネットワーク手段に接続したときに割り当てられたネットワークアドレスを電子メールで通知することを特徴とする遠隔監視システム。
【請求項４】
請求項１、２又は３に記載の遠隔監視システムにおいて、前記サービス選択手段の選択状態に従って、遠隔監視サービスのサービス利用料を動的に変更するようにしたことを特徴とする遠隔監視システム。
【発明の詳細な説明】
【技術分野】
【０００１】
本発明は、センサーやカメラなどの接続された遠隔監視端末を遠隔操作によって管理・監視する遠隔監視システムに関する。
【背景技術】
【０００２】
従来の遠隔監視システムでは、取得されたカメラ映像を扱う場合、プライバシー保護の点から画像に各種処理を施している。例えば、送出する画像に隠蔽処理を施すものとして、例えば、特許文献１に記載のものが知られている。また、通常は映像加工を行い、センサーが反応した場合のみ通常の画像を送出するものとして、例えば、特許文献２に記載のものが知られている。また、送出する画像データを暗号化しているものもある。
【先行技術文献】
【特許文献】
【０００３】
【特許文献１】特開２００１−１８６５０７号公報
【特許文献２】特開２００４−１８０２３６号公報
【発明の概要】
【発明が解決しようとする課題】
【０００４】
特許文献１又は２に記載された従来技術は、第三者が何らかの方法で隠蔽処理を復元する方法、映像加工を復元する方法及び暗号化を解読する方法などを知り得た場合、容易に映像を再生することが可能となり、セキュリティ上重要な問題となっていた。また、遠隔監視を行うサービス業者側では、最初の契約時でサービス方法を限定するしかなく、サービス料に対して細かい設定を行うことができなかったのが現状である。
【０００５】
本発明は、上述の点に鑑みてなされたものであり、プライバシー保護の有無に応じて送出される画像のセキュリティを向上させることのできる遠隔監視システムを提供することを目的とする。
本発明は、細かいサービス利用料をユーザーに対して設定することができる遠隔監視システムを提供することを目的とする。
【課題を解決するための手段】
【０００６】
本発明に係る遠隔監視システムの第１の特徴は、カメラ及びカメラ素子からの映像信号を受信し、前記映像信号を画像データに変換する画像処理手段と、センサーからの検出信号を受信し、前記検出信号をセンサーデータに変換するセンサー処理手段と、前記画像データ及び前記センサーデータを記録する記録手段と、鍵穴に鍵を差し込んで回し合わせることによって前記鍵穴の回転位置に刻印されたサービスを選択するサービス選択手段と、外部の通信端末手段から配信要求のトリガ信号が入力されたことを検出する検出手段と、前記検出手段が前記トリガ信号の入力を検出した場合に、画像データをあらかじめ登録してある前記外部の通信端末手段に対応した複数の電子メールアドレスの中から前記サービス選択手段の鍵穴によって選択されたサービスに対応する通信端末手段のみに、前記画像データ及び前記センターデータの少なくとも一方をネットワーク手段を介して配信する中央制御手段とを備えたことにある。
この遠隔監視システムを利用するユーザは、サービス選択手段の鍵穴に物理的な鍵を差し込み、所望するサービスの刻印位置まで回し合わせることで、配信する画像データやセンサーデータを制限したり、配信先を設定することができるので、プライバシー保護を容易に実現できる。なお、画像データ以外のデータとしてセンサーデータを配信するが、このセンサーデータにはセンサー以外の警報等の各種データを含むものとする。
【０００７】
本発明に係る遠隔監視システムの第２の特徴は、前記第１の特徴に記載の遠隔監視システムにおいて、前記サービス選択手段は前記鍵穴をサービスごとに複数有し、所望するサービスの鍵穴に鍵を差し込んで回しあわせることによって配信する相手を選択することにある。遠隔監視システムにおいて、遠隔監視端末のサービス選択手段である鍵部をサービスごとに複数設けてあるので、ユーザーは所望のサービスの鍵部に鍵を差し込み鍵穴の位置をオン状態に回す合わせることで画像データやセンサーデータを送出する相手を選択することができる。
【０００８】
本発明に係る遠隔監視システムの第３の特徴は、前記第１又は第２の特徴に記載の監視システムにおいて、前記中央制御手段が、前記サービス選択手段の鍵穴によって選択されたサービスに対応する通信端末手段のみに、前記ネットワーク手段に接続したときに割り当てられたネットワークアドレスを電子メールで通知することにある。中央制御装置がネットワーク手段に接続するときには、ＩＳＰから動的に任意のグローバルＩＰアドレスが割り当てられるので、ネットワーク手段接続によって割り当てられていたＩＰアドレスを電子メールを利用して所定の通信端末手段のみに通知する。これにより、ユーザーは、通信端末手段で受信した電子メールに含まれるグローバルＩＰアドレスを用いて、遠隔監視システムにアクセスすることができ、画像データやセンサーデータを取得し、確認することができる。
【０００９】
本発明に係る遠隔監視システムの第４の特徴は、前記第１、第２又は第３の特徴に記載の遠隔監視システムにおいて、前記サービス選択手段の選択状態に従って、遠隔監視サービスのサービス利用料を動的に変更するようにしたことにある。遠隔監視サービス業者側は、サービス選択手段の選択状態すなわち鍵穴の設定状態を知ることで課金システムを細かく設定することができ、ユーザーに対して適切なサービス料の徴収を行なうことが可能となる。
【発明の効果】
【００１０】
本発明によれば、プライバシー保護の有無に応じて送出される画像のセキュリティを向上させることができるという効果がある。また、本発明によれば、細かいサービス利用料をユーザーに対して設定することができるという効果がある。
【図面の簡単な説明】
【００１１】
【図１】本発明の第１の実施形態に係る遠隔監視端末を用いた遠隔監視システムの基本構成を示す図である。
【図２】ネットワークカメラシステムのカメラ（又はカメラ素子）１１によって撮影された画像をユーザー端末７及び／又は遠隔監視センター９からアクセスして画像を確認する場合の手順を示す図である。
【図３】本発明の第２の実施形態に係る遠隔監視端末を用いた遠隔監視システムの基本構成を示す図である。
【発明を実施するための最良の形態】
【００１２】
以下、図面に基づいて本発明の実施の形態を説明する。図１は、本発明の第１の実施形態に係る遠隔監視端末を用いた遠隔監視システムの基本構成を示す図である。この実施の形態に係る遠隔監視システムは、遠隔監視端末１、通信網５、ユーザー端末７及び遠隔監視センター９から構成される。
【００１３】
遠隔監視端末１は、この実施の形態に係る遠隔監視システムを構築するために必要なシステムを組み込んだボードであり、カメラ（又はカメラ素子）１１と有線／無線通信網５との間のインタフェースとして機能するものである。この遠隔監視端末１の機能によって、電子機器等と通信ネットワークとの接続に移動体通信網を利用した場合でも、ユーザー又は遠隔監視センターは所望するときにいつでもアクセスして画像の配信を受けることができるようになる。
【００１４】
カメラ（又はカメラ素子）１１は、デジタルカメラ、デジタルビデオカメラなどの電子機器であり、撮影した電子画像を映像処理部１３を介して遠隔監視端末１の中央制御部１０に送信する。この遠隔監視端末１とカメラ（又はカメラ素子）１１との組み合わせをネットワークカメラシステムとする。
【００１５】
通信網５は、移動体通信網（無線網）及び有線通信網（有線網）から構成される。移動体通信網（無線網）は携帯電話やＰＨＳなどの携帯電話サービス会社などによって提供される通信サービス網である。有線通信網は、固定電話などの公衆電話サービス会社などによって提供される通信サービス網である。有線通信網は、ＩＳＰ（Ｉｎｔｅｒｎｅｔ  Ｓｅｒｖｉｃｅ  Ｐｒｏｖｉｄｅｒ）を介して接続されるネットワーク（インターネット）を含む。
【００１６】
通信網５には、ネットワークカメラシステム（遠隔監視端末１）に内蔵されている通信網接続部２１が接続される。通信網５には、ユーザー端末７及び遠隔監視センター９の端末が接続されている。ユーザー端末７及び遠隔監視センター９の端末は、ネットワークカメラシステムが設置される場所から離れた遠隔地に位置するパソコンや携帯電話などで構成され、カメラ（又はカメラ素子）１１によって撮影された画像を表示することができるように構成された端末である。
【００１７】
遠隔監視端末１は、中央制御部１０、カメラ１１、センサー１２、映像処理部１３、センサー処理部１４、表示部１５、表示制御部１６、記録媒体１７、記録制御部１８、ユーザー通知部１９、遠隔監視センター通知部２０、通信網接続部２１、及び鍵部３０から構成される。
【００１８】
中央制御部１０は、この遠隔監視端末１の全体を制御するＣＰＵ、メモリなどから構成される。映像処理部１３は、無線または有線で接続されているカメラ（又はカメラ素子）１１からの映像信号を受信し、その映像信号を画像データに変換して中央制御部１０に出力する。センサー１２は、人感センサーなどで構成され、その検出信号はセンサー処理部１４に出力される。センサー処理部１４は、センサー１２からの検出信号を外部トリガとして中央制御部１０に出力する。中央制御部１０は、センサー処理部１４から外部トリガを入力すると、映像処理部１３から送られてくる画像データを記録制御部１８に介して記録媒体１７に記録（録画）する。中央制御部１０は、ユーザー端末７又は遠隔監視センター９の端末からアクセスがあり、画像データの配信のリクエストがあった場合、映像処理部１３によって変換された画像データ又は記録媒体１７に記録されている画像データを選択して、ユーザー通知部１９及び／又は遠隔監視センター通知部２０、通信接続部２１及び通信網５経由してユーザー端末７及び／又は遠隔監視センター９の端末に画像データを配信するように動作する。中央制御部１０は、表示制御部１６を介して表示部１５に現在の処理状態（例えば、鍵部３０の設定状態）等を表示する。
【００１９】
通信網接続部２１は、遠隔監視端末１を通信網５に接続するものであり、発信者番号検出部、ＩＳＰ情報部、ダイヤルアップ部及び電子メール送信部を備える。発信者番号検出部は、ユーザー端末７又は遠隔監視センター９から通知される発信者番号を検出し、ユーザー通知部１９及び遠隔監視センター通知部２０に出力する。ＩＳＰ情報部は、通信網５の一部を構成するＩＳＰに接続するために必要な情報を格納している。ダイヤルアップ部は、ＩＳＰ情報部の情報を用いて通信網５内のＩＳＰにダイヤルアップ接続する。電子メール送信部は、ユーザー通知部１９及び／又は遠隔監視センター通知部２０から入力した電子メールを対応する電子メールアドレス宛に通信網５を介して送信する。
【００２０】
ユーザー通知部１９は、通信網接続部２１によって検出された発信者番号を発信者番号−電子メールアドレス対応表に基づいて、ユーザーとしてあらかじめ設定登録された発信者番号に一致するか照合すると共にその発信者番号に対応する電子メールアドレスを抽出する。また、ユーザー通知部１９は、照合の結果、発信者番号が設定登録されたものに一致する場合は、通信網接続部２１のダイヤルアップ部によって接続付与されたグローバルＩＰアドレス又はこのグローバルＩＰアドレスを含んだＵＲＬに関する情報を電子メールとして、通信網接続部２１の電子メール送信部を介してユーザー端末７に送信する。
【００２１】
遠隔監視センター通知部２０は、通信網接続部２１によって検出された発信者番号を発信者番号−電子メールアドレス対応表に基づいて、遠隔監視センターとしてあらかじめ設定登録された発信者番号に一致するか照合すると共にその発信者番号に対応する電子メールアドレスを抽出する。また、遠隔監視センター通知部２０は、照合の結果、発信者番号が設定登録されたものに一致する場合は、通信網接続部２１のダイヤルアップ部によって接続付与されたグローバルＩＰアドレス又はこのグローバルＩＰアドレスを含んだＵＲＬに関する情報を電子メールとして、通信網接続部２１の電子メール送信部を介して遠隔監視センター９に送信する。
【００２２】
鍵部３０は、全体形状が円形をしており、物理的な鍵（図示せず）の差し込まれる鍵穴３１を備えている。ユーザーは鍵部３０の鍵穴３１に物理的な鍵を差込み、所望のサービスの位置まで鍵を回して抜く。鍵部３０のサービスを示す位置には、「Ｕ」、「Ｕ／Ｃ」及び「Ｃ」の刻印が施されている。刻印「Ｕ」は、ユーザー端末７のみに通知するサービスを、刻印「Ｃ」は、遠隔監視センター９のみに通知するサービスを、刻印「Ｕ／Ｃ」は、ユーザー端末７及び遠隔監視センター９の両方に通知するサービスをそれぞれ意味する。すなわち、鍵部３０は、これらのサービスの中から所望のサービスを選択するサービス選択手段としての機能を有する。図１では、遠隔監視端末１の鍵穴３１は、刻印「ＯＦＦ」の位置に設定された後に、鍵穴３１から鍵が抜かれた状態を示している。遠隔監視端末１の中央制御部１０は、鍵が抜かれてから一定時間経過後に所定の監視を開始する。監視サービスを使用しない場合は図１のように刻印「ＯＦＦ」の位置に鍵穴の長手方向を合わせて鍵を抜けばよい。
【００２３】
ユーザー端末７だけに情報通知を行う場合は、「ユーザーのみに通知」の位置となる刻印「Ｃ」に鍵穴３１の長手方向を合わして鍵を抜く。これによりセンサー１２の反応による発報情報とセンサー発報に連動したカメラ１１からの映像情報が記録制御部１８を経由して記録媒体１７に記録されるとともにユーザー通知部１９を経由し、ユーザーの携帯電話等のユーザー端末７へ有線網あるいは無線網からなる通信網５を経由して通知される。ユーザーは通知された情報により監視状態を知ることができるとともに記録媒体に記録された情報を携帯電話等で取り出すことも可能であり、現時点でのカメラ１１からの映像を確認することもできる。
【００２４】
ユーザー端末７及び遠隔監視センター９の両方へ情報通知を行う場合は、「ユーザー／遠隔監視センターに通知」の位置となる刻印「Ｕ／Ｃ」に鍵穴３１を合わして鍵を抜く。これにより、センサー１２の反応による発報情報とセンサー発報に連動したカメラ１１からの映像情報が記録制御部１８を経由して記録媒体１７に記録されるとともにユーザーはユーザー通知部１９を経由し、ユーザーの携帯電話等のユーザー端末７へ有線網あるいは無線網からなる通信網５を経由して上記発報情報及び映像情報（上述のユーザーのみの通知の場合と同じ情報）を得ることができる。また、これと同じ情報は、遠隔監視センター通知部２０によって通信網接続部２１及び通信網５を経由して遠隔監視センター９へ通知される。遠隔監視センター９側のオペレータは、遠隔監視端末１から送られてくる情報をもとに異常の有無の確認を行い、必要があれば警備員の出動ならびに警察等への連絡を行う。
【００２５】
遠隔監視センター９のみへ情報通知を行う場合は、「遠隔監視センターのみに通知」の位置となる刻印「Ｃ」に鍵穴３１を合わせて鍵を抜く。これにより、センサー１２の反応による発報情報とセンサー発報に連動したカメラ１１からの映像情報が記録制御部１８を経由して記録媒体１７に記録されるとともに遠隔監視センター通知部２０によって通信網接続部２１及び通信網５を経由して遠隔監視センター９へ通知される。従って、遠隔監視センター側のオペレータは、上記発報情報及び映像情報をもとに異常の有無の確認を行い、必要があれば警備員の出動ならびに警察等への連絡を行うことができ、また、ユーザーにその状況を報告することができる。
【００２６】
次に、ユーザー及び／又は遠隔監視センターがカメラ（又はカメラ素子）１１の画像を確認する場合の動作について説明する。図２は、ネットワークカメラシステムのカメラ（又はカメラ素子）１１によって撮影された画像をユーザー端末７及び／又は遠隔監視センター９からアクセスして画像を確認する場合の手順を示す図である。ユーザー端末７及び／又は遠隔監視センター９がネットワークカメラシステム１に対して発信者番号通知の発呼（コール）を行う。すなわち、ユーザー及び／又は遠隔監視センターは、ユーザー通知部１９及び遠隔監視センター通知部２０内の発信者番号−電子メールアドレス対応表に予め登録されている発信者番号を持つユーザー端末７及び／又は遠隔監視センター９の通信端末を用いて、その端末が接続されている通信網５を経由して発信者番号の通知を行う。これらの端末は、１コール以上のコールを実行したら、オンフックする。なお、１コールで即座にオンフックしてもよい。
【００２７】
ネットワークカメラシステム１の通信網接続部２１は、ユーザー端末７及び／又は遠隔監視センター９の通信端末から通知された発信者番号を発信者番号検出部で検出し、その発信者番号をユーザー通知部１９及び遠隔監視センター通知部２０に出力する。ユーザー通知部１９及び遠隔監視センター通知部２０は、通信網接続部２１から通知された発信者番号と発信者番号−電子メールアドレス対応表に記載されている複数の発信者番号のうちの一つとが一致するか比較して照合する。発信者番号が一致した場合には、通信網接続部２１のＩＳＰ情報部に格納されているＩＳＰの電話番号、ユーザー名、パスワード等を使用し、ダイヤルアップ部でダイヤルアップ接続を行う。その後、ＩＳＰから割り振られたグローバルＩＰアドレスあるいはグローバルＩＰアドレスを含むＵＲＬを取得する。電子メール送信部は、発信者番号−電子メールアドレス対応表からユーザー端末８及び／又は遠隔監視センター９の通信端末の発信者番号に対応する電子メールアドレスをユーザー通知部１９及び遠隔監視センター通知部２０から取得し、その電子メールアドレスに対し、電子メールを送信する。
【００２８】
ユーザー及び／又は遠隔監視センターは、電子メール送信部から通知される電子メールに記載されているグローバルＩＰアドレスあるいはＵＲＬに対して通信網５を経由して通信網接続部２１に接続を行うことで、ネットワークカメラシステムの中央制御部１０にアクセスを行う。ユーザー端末７及び／又は遠隔監視センター９の通信端末が中央制御部１０にアクセスする際に、パスワード認証を行うようにしてもよい。ユーザー及び／又は遠隔監視センターは、中央制御部１０にアクセスし、画像転送要求を行うことにより、カメラ（又はカメラ素子）１１の映像を確認することができる。画像の確認が終わると、ユーザー端末７及び／又は遠隔監視センター９の通信端末から終了要求をネットワークカメラシステム１に送信する。この終了要求を受け取ると、ネットワークカメラシステム１は、ＩＳＰとの接続を切断する。また、一定時間以上、ユーザー端末７及び／又は遠隔監視センター９の通信端末から中央制御部１０へのアクセスがない場合にも、ＩＳＰとの接続を切断する。これにより、ネットワークカメラシステム１がＩＳＰに接続されていない場合であっても、ユーザーは簡単な操作でネットワークカメラシステム１からの画像を確認することができ、また、移動体通信基地局のチャネル占有時間を極力少なくすることができる。上述の実施の形態では、ネットワークカメラシステム１を用いてカメラ（又はカメラ素子）１１の映像をユーザー端末７及び遠隔監視センター９の通信端末の複数の端末から同時にアクセス可能にするものであるが、鍵部３０の設定に応じて、ユーザー端末７及び遠隔監視センター９の通信端末のいずれか一つ、又はどちらからもアクセス不可能とすることができる。
【００２９】
図３は、本発明の第２の実施形態に係る遠隔監視端末を用いた遠隔監視システムの基本構成を示す図である。図２において、図１と同じ構成のものには同一の符号が付してあるので、その説明は省略する。図２の遠隔監視システムが図１のものと異なる点は、鍵部３０ａ，３０ｂ，３０ｃが「ユーザーのみに通知」、「ユーザー／遠隔監視センターに通知」、「遠隔監視センターのみに通知」のそれぞれに対応して設けられている点である。従って、ユーザーは所望するサービスの鍵部３０ａ，３０ｂ，３０ｃの鍵穴に鍵を差し込んで、鍵穴をまわして刻印「ＯＮ」の位置まで回してから鍵を抜くことによって、所定の動作を行なわせることができる。それぞれの動作に関しては、上述と同じである。
【００３０】
なお、遠隔監視端末１は、ユーザーが設定した鍵穴の位置情報を遠隔監視センター９側に遠隔監視センター通知部２０、通信網接続部２１及び通信網５を介して通知する。この通知はユーザーが鍵を設定する度に実行される。遠隔監視センター９は、遠隔監視端末１から通知されてくる鍵穴の位置情報に従ってユーザーへの課金を行い、「ユーザーのみ通知」、「ユーザー／遠隔監視センター通知」、「遠隔監視センターのみ通知」の使用頻度にあわせて利用料の課金を行う。この実施の形態では、図示していないが、鍵穴の位置情報に従って、動的に課金を行なう。例えば、鍵穴の位置情報が「ユーザーのみ通知」の場合の課金を月額基本料金とし、「遠隔監視センター通知」を含むサービスの課金をオプションサービス扱いとし、１カ月間に送信されてきた回数の総数をカウントしておき、１カウント毎の金額を予め決めておく。これによって、ユーザーへ課金を請求する際には、基本料金とカウント料金を加算した費用を請求する。この場合、当初よりオプションサービスを不要とする契約のユーザーに対しては、送信されてくる鍵穴の位置情報が「遠隔監視センター通知」にあったとしても遠隔監視センター側システムの方で契約登録情報と異なっていると判断し、自動的にその情報は破棄してしまい、課金を行なうことはない。このように鍵穴の位置情報に基づいて遠隔監視サービスのサービス利用料を動的に変更することができる。また、鍵部３０ａ，３０ｂ，３０ｃのうち複数の鍵穴が同時に刻印「ＯＮ」の位置まで回してある場合には、それらの論理和（ＯＲ）をとることとする。
【００３１】
なお、本発明の通信網とは、携帯電話網やＰＨＳ網等、公衆網経由で発信者番号通知付き発呼を受けるとこができるものであればよく、有線の公衆網であっても移動体通信網であってもよい。ユーザー端末は、スタンドアロン型のデスクトップパソコン、ノートブック、タブレットＰＣ、ＰＤＡ、携帯電話などでもよい。また、上述の実施の形態では遠隔地にある電子機器としてカメラ及びカメラ素子を例に説明したが、これはロボット、電化製品、その他のコンピュータシステム等を遠隔制御してもよい。ロボット等を遠隔制御する場合には、制御されるロボットの状態を画像などで配信し、その画像を確認しながらロボットを遠隔制御することができる。
上述の実施の形態によれば、ケーブルが敷設できない場所にも設置することができる移動体通信網に接続しているネットワークカメラの画像を簡易な操作でユーザーが確認することができる。また、ネットワークカメラシステムとユーザー端末間は、接続される度にグローバルＩＰアドレスが変更となるため、第三者がグローバルＩＰアドレスを覚えていたとしてもネットワークカメラシステムに接続することはできない。従って、プライバシー保護の面からも有効である。さらに、上述の実施の形態では、発信者番号を例に説明したが、これ以外の個人又は組織を特定可能なＩＤ番号などを用いてもよい。
【符号の説明】
【００３２】
１…遠隔監視端末
１０…中央制御部
１１…カメラ
１２…センサー
１３…映像処理部
１４…センサー映像処理部
１５…表示部
１６…表示制御部
１７…記録媒体
１８…記録制御部
１９…ユーザー通知部
２０…遠隔監視センター通知部
２１…通信網接続部
３０，３０ａ，３０ｂ，３０ｃ…鍵部
３１…鍵穴
５…通信網
７…ユーザー端末
９…遠隔監視センター
【図１】
2011124988.tif 000003
【図２】
2011124988.tif 000004
【図３】
2011124988.tif 000005